(57)【要約】【課題】電源となる燃料電池に空気を確実に供給できるようにする。【解決手段】電池室９は、内部に燃料電池７を収納しており、燃料電池７は、電力を、各部に供給する。電池室９の空間は空気孔３１を介して外部に連通している。また、電池室９はパイプ８に連通しており、パイプ８の端部には、換気部６が設けられている。スライドカバー５の背面には、ラックが設けられており、換気部６のギア３３とかみ合っている。スライドカバー５がスライドされると、換気部６のファン３２が回転し、パイプ８、電池室９、空気孔３１を介して空気が流出入する。電池室９の空気が、燃料電池７の発電に使用される。【選択図】      図１
2004212827.tif 000002
【特許請求の範囲】
【請求項１】
燃料電池を電源に使用する電子機器において、
筐体の外部にあり、前記電子機器の撮影準備をするとき、ユーザにより操作される操作部材と、
前記燃料電池の周りの空気を換気する換気部と、
前記操作部材が操作された場合、前記操作部材の動きを前記換気部に伝達し、前記換気部に前記燃料電池の周りの空気を換気させる伝達部とを備えることを特徴とする電子機器。
【請求項２】
前記操作部材は、前記電子機器の電源を入れるためのメインスイッチと連動していることを特徴とする請求項１に記載の電子機器。
【請求項３】
前記操作部材は、撮影レンズを覆う第１の位置と露出させる第２の位置との間でスライドするスライドカバーであり、
前記伝達部は、前記スライドカバーがスライドされた場合、前記スライドカバーの動きを前記換気部に伝達し、前記換気部に前記燃料電池の周りの空気を換気させることを特徴とする請求項１に記載の電子機器。
【請求項４】
前記伝達部は、
前記スライドカバーの内側に配置され、前記スライドカバーと一体的にスライドするラックと、
前記ラックとかみ合い、かつ、前記換気部と接続され、前記スライドカバーがスライドされたとき、回転し、前記換気部のファンを回転させるギアとを含むことを特徴とする請求項３に記載の電子機器。
【請求項５】
前記燃料電池を収納する電池室と、
前記電池室の空間を前記電子機器の筐体の外部に連通する少なくとも１つの第１の空気孔と、
前記スライドカバーと前記筐体の間の空間を前記筐体の外部に連通する少なくとも１つの第２の空気孔と、
前記第１の空気孔と前記第２の空気孔の間を流れる空気の通路であるパイプと、をさらに備え、
前記スライドカバーがスライドされた場合、前記換気部は、前記パイプ内の空間の空気を、前記第１の空気孔と前記第２の空気孔のうちの一方から吸引し、他方から排気することを特徴とする請求項４に記載の電子機器。
【発明の詳細な説明】
【０００１】
【発明の属する技術分野】
本発明は、電子機器に関し、特に、電源となる燃料電池に空気を確実に供給できるようにした電子機器に関する。
【０００２】
【従来の技術】
従来、カメラなどの携帯用電子機器は、その電源として、リチウム電池やアルカリ電池などが使用されているが、次世代の電源として、小型の燃料電池が提案されている。
【０００３】
燃料電池は、その燃料として、メタノールを使用する他に、空気中の酸素を使用するため、空気の循環が必要となる。
【０００４】
【発明が解決しようとする課題】
しかしながら、カメラの電源として燃料電池を使用する場合、カメラの筐体は、通気性がよくないため、燃料電池に十分な空気を供給できない恐れがあるという課題があった。
【０００５】
本発明はこのような状況に鑑みてなされたものであり、燃料電池に空気を確実に供給できるようにするものである。
【０００６】
【課題を解決するための手段】
本発明の電子機器は、筐体の外部にあり、電子機器の撮影準備をするとき、ユーザにより操作される操作部材と、燃料電池の周りの空気を換気する換気部と、操作部材が操作された場合、操作部材の動きを換気部に伝達し、換気部に燃料電池の周りの空気を換気させる伝達部とを備えることを特徴とする。
【０００７】
操作部材は、電子機器の電源を入れるためのメインスイッチと連動しているようにすることができる。
【０００８】
操作部材は、撮影レンズを覆う第１の位置と露出させる第２の位置との間でスライドするスライドカバーであり、伝達部は、スライドカバーがスライドされた場合、スライドカバーの動きを換気部に伝達し、換気部に燃料電池の周りの空気を換気させるようにすることができる。
【０００９】
伝達部は、スライドカバーの内側に配置され、スライドカバーと一体的にスライドするラックと、ラックとかみ合い、かつ、換気部と接続され、スライドカバーがスライドされたとき、回転し、換気部のファンを回転させるギアとを含むようにすることができる。
【００１０】
燃料電池を収納する電池室と、電池室の空間を電子機器の筐体の外部に連通する少なくとも１つの第１の空気孔と、スライドカバーと筐体の間の空間を筐体の外部に連通する少なくとも１つの第２の空気孔と、第１の空気孔と第２の空気孔の間を流れる空気の通路であるパイプとをさらに含み、スライドカバーがスライドされた場合、換気部は、パイプ内の空間の空気を、第１の空気孔と第２の空気孔のうちの一方から吸引し、他方から排気するようにすることができる。
【００１１】
本発明の電子機器においては、操作部材が操作された場合、操作部材の動きが換気部に伝達され、燃料電池の周りの空気が換気される。
【００１２】
【発明の実施の形態】
以下、図を参照して、本発明の実施の形態について説明する。
【００１３】
図１は、本発明を適用したカメラ１の非作動状態であって、鏡筒３５がカメラ１に収納された状態の水平断面の構成を示している。
【００１４】
カメラ１は、カメラカバー（筐体）４を有している。カメラ１のほぼ中央部には、撮影レンズ１０を有する鏡筒３５が設けられ、鏡筒３５の右側には、フィルム室３が設けられている。
【００１５】
また、鏡筒３５の左側には、パトローネ室３４が設けられている。パトローネ室３４には、パトローネ２が収納されており、パトローネ２から引き出されたフィルム３６が、フィルム室３のスプール３７に巻装されている。
【００１６】
パトローネ室３４の図中左側には、電池室９が設けられている。電池室９には、燃料電池７が収納されており、燃料電池７からの電力が、カメラ１の電力を必要とする各部に供給される。
【００１７】
カメラ１の正面（図中下側）の、収容された状態の鏡筒３５の前面には、スライドカバー５が設けられている。スライドカバー５は、ユーザにより、後述する図４に示される状態（鏡筒３５を覆う状態）と、図６に示される状態（鏡筒３５を露出させる状態）との間で、図中左右方向にスライドされる。
【００１８】
スライドカバー５の図中左側（パトローネ室３４の図中下側）には、換気部６が設けられている。換気部６は、ファン３２、ギア３３、および、軸８１（後述する図８）により構成されるが、その説明は後述する。
【００１９】
カメラカバー４の側面（図中、左側の面）には、電池室９と連通するように空気孔３１が設けられ、この空気孔３１を介して外気が電池室９に対して流出入する。
【００２０】
電池室９とパトローネ室３４の図中下側には、空気の通路であるパイプ８が、スライドカバー５と並行に設けられている。パイプ８は、電池室９と連通するように形成されている。パイプ８の図中右側の端部には、換気部６とスライドカバー５との間に、空気孔７２（後述する図８）が設けられている。この空気孔７２は、パイプ８と外部との間で連通している。
【００２１】
図２は、図１のカメラ１の電気的な構成例を示すブロック図である。
【００２２】
カメラ１は、スライドカバー５、燃料電池７、スイッチ４０、マイクロコンピュータ４１、レリーズボタン４２、給送モータ４３、およびシャッタ４４により構成されている。
【００２３】
燃料電池７は、燃料としてメタノールを使用し、空気中の酸素を利用して、エネルギーを生成し、カメラ１の各部に電力を供給している。
【００２４】
スイッチ４０は、スライドカバー５のスライド位置に応じて、オンまたはオフされる。レリーズボタン４２は、シャッタ４５を動作させるときユーザにより操作される。マイクロコンピュータ４１は、これらのスイッチ４０とレリーズボタン４２からの入力に基づいて、カメラの動作を制御する。
【００２５】
給送モータ４３は、フィルム３６を１コマ分巻き取ったり、巻き戻す給送処理を行なう。
【００２６】
次に、図２のカメラ１における撮影処理を説明する。ユーザによりスライドカバー５が後述する図３に示される状態（閉じられた状態）から、図５に示される状態（開放された状態）にスライドされると、スイッチ４０は、スライドカバー５がスライドされたことを検出し（スライドカバー５が開けられたことを検出し）、オンする。スイッチ４０がオンしたとき、マイクロコンピュータ４１は、カメラ１を作動状態にする。
【００２７】
ユーザによりレリーズボタン１５が操作された場合、マイクロコンピュータ４１は、被写体を撮影する処理を実行する。具体的には、マイクロコンピュータ４１は、シャッタ４４を動作させる。鏡筒３５が有する撮影レンズ１０は、シャッタ４４が動作した瞬間の被写体からの光をフィルム３６に露光させる。１コマの撮影完了後、マイクロコンピュータ４１は、給送モータ４３を制御し、フィルム３６を１コマ分（撮影により露光された部分）だけを移送させる。
【００２８】
その後、ユーザによりスライドカバー５が、後述する図５に示される状態（開放された状態）から、図３に示される状態（閉じられた状態）にスライドされると、スイッチ４０は、スライドカバー５がスライドされたことを検出し（スライドカバー５が閉じられたことを検出し）、オフする。マイクロコンピュータ４１は、スイッチ４０がオフしたとき、カメラ１を非作動状態にする。
【００２９】
このように、カメラ１において被写体を撮影することができる。
【００３０】
図３は、カメラ１の非作動状態（スライドカバー５が閉じている状態）の正面の構成を示しており、図４は、図３におけるカメラ１の水平断面の構成を示している。また、図５は、カメラ１の作動状態（スライドカバー５が開いている状態）の正面の構成を示しており、図６は、図５におけるカメラ１の水平断面の構成を示している。なお、図３乃至図６においては、孔５１と換気部６（点線の部分）を透視して表示している。
【００３１】
スライドカバー５は、カメラ１の撮影準備をするとき、ユーザにより操作される操作部材である。スライドカバー５を図３（または図４）に示されるように閉じた場合、カメラ１は、非作動状態となり、スライドカバー５を図５（または図６）に示されるように開いた場合、カメラ１は、作動状態となる。
【００３２】
スライドカバー５の図６において右側端部近傍には、孔５１が形成されている。スライドカバー５は、閉じられた状態のとき、孔５１がカメラカバー４の鏡筒３５の図中右側に形成されているクリック５１Ａと係合することにより、図３と図４に示されるように、閉じたままの状態を保つことが可能である。また、スライドカバー５を図５と図６に示される状態まで開いた場合、孔５１が、カメラカバー４の鏡筒３５の図中左側に形成されているクリック５１Ｂと係合することにより、開いたままの状態を保つことが可能である。
【００３３】
ユーザにより、スライドカバー５が、図３と図４に示されるカメラ１の非作動状態から、図５と図６に示されるカメラ１の作動状態までスライドされた場合、図２において、スイッチ４０は、スライドカバー５がスライドされたことを検出し、オンする。
【００３４】
マイクロコンピュータ４１は、スイッチ４０がオンしたとき、電源をオンする（燃料電池７から各部に電力を供給させる）。また、マイクロコンピュータ４１は、例えば、鏡筒３５を繰り出すよう制御する。上述したように、図５と図６に示される状態において、レリーズボタン４２が操作されると、撮影処理が行なわれる。
【００３５】
図７は、カメラ１の正面からの縦断面の構成を示しており、図８は、例えば、図１のカメラ１を、カメラ１の図中右側（フィルム室３側）から見た縦断面の構成を示している（ただし、図１に較べて拡大して示されている）。また、図９は、図１のカメラ１を、カメラ１の図中上側からみた縦断面（スライドカバー５のカメラカバー４に対向する面）の構成を示している。
【００３６】
パイプ８の図７において右側の端部の近傍に換気部６が設けられ、パイプ８の図７において左側の端部に電池室９が設けられている。
【００３７】
換気部６は、図８に示されるように、ファン３２、ギア３３、および、軸８１により構成されている。
【００３８】
スライドカバー５の図８において右側（カメラ１の内側）には、ラック７１が設けられており、このラック７１に換気部６のギア３３がかみ合っている。ギア３３には、軸８１とファン３２が一体的に装着されている。
【００３９】
軸８１の図８において周囲（スライドカバー５と換気部６の間）には、パイプ８をカメラ１の外部に連通する空気孔７２が設けられている。
【００４０】
次に、スライドカバー５の移動に伴って行なわれる燃料電池７への空気の供給動作について説明する。
【００４１】
スライドカバー５が閉じられた状態から開けられた場合、スライドカバー５は、図３（または図４）に示される状態から図５（または図６）に示される状態に変化する。このとき、ギア３３はラック７１にかみ合っているため、スライドカバー５のスライドとともに、ギア３３が、軸８１を中心に回転する。ギア３３の回転とともに、軸８１を介して一体的に結合されているファン３２が回転する。
これにより、パイプ８内の空気が換気される。
【００４２】
すなわち、ファン３２の回転により、例えば、空気孔７２から外気が流入し、パイプ８を通って電池室９に空気が供給される。また、電池室９の空間の空気は、空気孔３１を介して外部に排出される。
【００４３】
スライドカバー５が開けられた状態から閉じられた場合、スライドカバー５は、図５（または図６）に示される状態から図３（または図４）に示される状態に変化する。このとき、スライドカバー５のスライドとともに、ギア３３が、上述した場合とは逆方向に回転する。
【００４４】
ファン３２の回転により、空気孔３１から外気が電池室９内に流入する。また、電池室９の空間の空気は、パイプ８と空気孔７２を介して外部に排出される。
【００４５】
なお、空気が流れる方向はファン３２の向きや形により、上述した場合と逆方向にすることもできるし、双方向にすることもできる。
【００４６】
以上のように、スライドカバー５が操作されたとき、スライドカバー５の動きを換気部６に伝達するようにし、燃料電池７が収納されている電池室９に、外部に連通する空気孔３１を設け、パイプ８を連通させるようにしたので、特別な操作をすることなく、単にスライドカバー５をスライドさせるだけで、燃料電池７に空気を簡単かつ確実に供給することができる。
【００４７】
また、スライドカバー５は、カメラ１を使用する場合において必ず操作する部材であり、換気を行なう機会を増やすことができる。
【００４８】
さらに、スライドカバー５は、ユーザにより操作されるため、換気を行なうためのエネルギーは、ユーザにより与えられる。このため、カメラ１の電力（燃料電池７）を使う必要がなく、ファン３２を燃料電池７を使ってモータにより回転させる場合に較べて、カメラ（燃料電池７）の使用可能時間を長くすることができる。
【００４９】
なお、上述の実施の形態では、カメラカバー４の外側のスライドカバー５を操作することにより換気される構成としたが、これに限定されるものではなく、他の操作部材でもよい。
【００５０】
以上、本発明をフィルムを使用するカメラ（フィルムカメラ）に適用した場合を例として説明したが、本発明は、デジタルカメラ、その他の携帯用の電子機器に適用することができる。
【００５１】
なお、本明細書において、コンピュータプログラムを記述するステップは、記載された順序に従って時系列的に行われる処理はもちろん、必ずしも時系列的に処理されなくとも、並列的あるいは個別に実行される処理をも含むものである。
【００５２】
【発明の効果】
以上の如く、本発明によれば、燃料電池に空気を供給することができる。特に、特別な操作をすることなく、空気を簡単、かつ確実に、供給することが可能となる。また、電力を使用せず、燃料電池に空気を供給することができる。
【図面の簡単な説明】
【図１】本発明を適用したカメラの非作動状態における水平断面の構成を示す断面図である。
【図２】図１のカメラの電気的な構成例を示すブロック図である。
【図３】図１のカメラの非作動状態における正面の構成を示す正面図である。
【図４】図３のカメラの水平断面の構成を示す断面図である。
【図５】図１のカメラの非作動状態における正面の構成を示す正面図である。
【図６】図５のカメラの水平断面の構成を示す断面図である。
【図７】図１のカメラの正面から見た縦断面の構成を示す断面図である。
【図８】図１のカメラの右側から見た縦断面の構成を示す断面図である。
【図９】図１のカメラの背面から見た縦断面の構成を示す断面図である。
【符号の説明】
１  カメラ
４  カメラカバー
５  スライドカバー
６  換気部
７  燃料電池
８  パイプ
９  電池室
３１  空気孔
３２  ファン
３３  ギア
７１  ラック
７２  空気孔
【図１】
2004212827.tif 000003
【図２】
2004212827.tif 000004
【図３】
2004212827.tif 000005
【図４】
2004212827.tif 000006
【図５】
2004212827.tif 000007
【図６】
2004212827.tif 000008
【図７】
2004212827.tif 000009
【図８】
2004212827.tif 000010
【図９】
2004212827.tif 000011